(57)【要約】【課題】操作が簡単で且つ安全を確保でき、特定のユーザーのみがレーザー光を出射できる。【解決手段】本体キャビネットの元側キャビネットに設けられた軸棒にダイヤル２ａ，２ｂ，２ｃを挿通し、上記元側キャビネットと先側キャビネットとで挟みこんで固定して、各ダイヤル２ａ，２ｂ，２ｃを回転可能に保持する。各ダイヤル２ａ，２ｂ，２ｃには、側面に刻印された番号を暗証番号になるように配列すると、レーザーモジュール６からのレーザー光の光路９に一致するレーザー通過孔８ａ，８ｂ，８ｃが設けられている。こうして、ユーザーが自分の暗証番号になるようにダイヤル部２を操作し、さらにレーザー発光スイッチを押下した場合のみ出射口からレーザー光を照射可能にしている。したがって、非常に簡単な構成で安全を確保でき、特定のユーザーのみがレーザー光を出射することができる。【選択図】　図２
2004070246.tif 000002
【特許請求の範囲】
【請求項１】
レーザー光を出射するレーザーモジュールと、
複数の番号が記載されると共に回転可能になっており、回転軸からずれた位置に上記レーザーモジュールから出射されたレーザー光を通過させるレーザー通過孔を有する複数のダイヤルを備えて、
上記複数のダイヤルは、各ダイヤルに記載された番号の所定方向への配列が特定の配列になった場合に、総てのダイヤルの上記レーザー通過孔をレーザー光が通過できるように配置されていることを特徴とするレーザー照射機能付機器。
【請求項２】
請求項１に記載のレーザー照射機能付機器において、
上記各ダイヤルは円板状を成し、側面にこの側面に沿って環状に番号が記載されると共に、中心に軸孔を有しており、
第１本体と第２本体との二つに分割可能な本体の上記第１本体における上記第２本体との対向面に、上記第２本体に向って突出して設けられて、上記複数のダイヤルの軸孔が挿通される軸と、
上記第２本体における上記第１本体との対向面に、上記第１本体の軸の先端部が挿入される孔が設けられ、上記第２本体には、上記孔に挿入された上記軸の先端部を固定する軸固定手段が設けられていることを特徴とするレーザー照射機能付機器。
【請求項３】
請求項１に記載のレーザー照射機能付機器において、
上記各ダイヤルは円板状を成し、側面にこの側面に沿って環状に番号が記載されると共に、中心に軸穴を有し、上記軸穴の壁面には周方向に凹凸が設けられており、
第１本体と第２本体との二つに分割可能な本体の上記第１本体における上記第２本体との対向面には、上記第２本体に向って突出して軸が設けられ、この軸の中間部には、周囲に上記ダイヤルの軸穴の壁面に設けられた凹部に嵌合する凸部を有して上記複数のダイヤルの軸穴に挿入される円板が固定されており、
上記第２本体における上記第１本体との対向面に、上記第１本体の軸の先端部が挿入される孔が設けられ、上記第２本体には、上記孔に挿入された上記軸の先端部を固定する軸固定手段が設けられていることを特徴とするレーザー照射機能付機器。
【請求項４】
請求項２あるいは請求項３に記載のレーザー照射機能付機器において、
上記各ダイヤルのうちの１つは、上記レーザー光を通過させるレーザー通過孔を複数有しており、夫々のレーザー通過孔の断面形状は互いに異なる形状になっており、
上記互いに異なる断面形状のレーザー通過孔を有するダイヤル以外のダイヤルにおける上記レーザー通過孔は、上記互いに異なる断面形状のレーザー通過孔の直径よりも大きな直径の円形断面を有していることを特徴とするレーザー照射機能付機器。
【請求項５】
請求項１に記載のレーザー照射機能付機器において、
上記各ダイヤルは内径が異なる有底の円筒状を成すと共に、端面にこの端面に沿って上記番号が記載されており、各ダイヤルは順次内嵌されて同一軸の周りに回転可能に本体内に収納されていることを特徴とするレーザー照射機能付機器。
【請求項６】
請求項５に記載のレーザー照射機能付機器において、
上記各ダイヤルを構成する円筒の底の中心に軸穴を有し、
総てのダイヤルの軸孔を通過する軸棒を先端に有するレーザー発光ボタンと、
上記レーザー発光ボタンが押下された場合に、上記軸棒の先端で押圧されて上記レーザーモジュールの動作をオンするプッシュスイッチと、
上記軸棒の側方に突出した凸部と、
上記各ダイヤルの軸孔の縁に形成されて、上記軸棒の凸部を通過させる切り欠きを備えて、
上記複数のダイヤルは、各ダイヤルの端面に記載された番号の上記所定方向への配列が上記特定の配列になった場合に、総てのダイヤルの上記切り欠きが一直線状に配列されるように配置されていることを特徴とするレーザー照射機能付機器。
【請求項７】
請求項５に記載のレーザー照射機能付機器において、
上記各ダイヤルの側面への上記複数の番号の記載は、上記複数の番号が印刷されたシールを貼付することによって行われるようになっていることを特徴とするレーザー照射機能付機器。
【発明の詳細な説明】
【０００１】
【発明の属する技術分野】
この発明は、誤操作等によって不用意にレーザービームが出射されることが無いレーザー照射機能付機器に関する。
【０００２】
【従来の技術】
ＯＨＰ（オーバーヘッドプロジェクタ）等を用いた講演会や講義等において、ＯＨＰによって投影された内容を指示するための機器としてレーザーポインタが用いられている。このようなレーザーポインタから照射されるレーザービームは、人間の目に入ると一次的・永続的に視覚障害を引き起こす原因となるため大変危険である。そのために、レーザーポインタを利用する場合には、講演者や聴衆に対してレーザービームを向けないように注意が必要である。しかしながら、講演者の誤操作や幼児による悪戯は充分予想される。
【０００３】
聴衆に対してレーザービームを向けないための安全装置として特開平２‐９１６８０号公報に開示されているようなレーザポインタシステムがある。このレーザポインタシステムでは、照射方向に赤外線発光装置を設け、本体の受光装置と赤外線発光装置との間で通信が成立した場合のみレーザービームの照射を可能にするようにしている。
【０００４】
【発明が解決しようとする課題】
しかしながら、上記従来の特開平２‐９１６８０号公報に開示されたレーザポインタシステムにおいては、以下のような問題がある。すなわち、上記レーザポインタシステムによれば、上記赤外線発光装置が無い方向への照射を禁止することができるため、聴衆に対しての安全は確保することはできる。ところが、本体と赤外線発光装置とは別々に動作するようになっているため、夫々別の電源が必要である。
【０００５】
このように、本体と赤外線発光装置とが別々の電源によって動作すると言うことは、赤外線発光装置への電源供給が停止した場合には、安全装置が動作しない状態でレーザービームが照射されることになる。そのために、レーザービームを人間の目に直接照射する場合が起こり得るのである。また、赤外線発光装置は常時発信させておく必要があり、そのための消費電力量は大きなものとなる。
【０００６】
そこで、レーザービームの出射そのものを制御する安全機構が種々提案されている。しかしながら、そのような安全機構は、複数のボタンを押下する等を行わないとレーザービームが出射されない構造になっているため、操作が煩雑であるという問題がある。また、複数のボタンが偶然押下されれば誰でもレーザービームを放射できるので、特定のユーザーのみがレーザービームを出射するようにはできないという問題がある。
【０００７】
そこで、この発明の目的は、操作が簡単で且つ安全を確保することができ、特定のユーザーのみがレーザー光を出射できるレーザー照射機能付機器を提供することにある。
【０００８】
【課題を解決するための手段】
上記目的を達成するため、この発明のレーザー照射機能付機器は、複数のダイヤルを回転させて、各ダイヤルに記載された番号の所定方向への配列が特定（暗証番号）の配列になるようにすると、総てのダイヤルのレーザー通過孔が一直線状に配列されて、レーザーモジュールから出射されたレーザー光が通過できるようになる。
【０００９】
こうして、上記複数のダイヤルに記載された番号が暗証番号になるように配列された場合にのみ上記レーザー光が外部に出射されることによって、特定のユーザーのみがレーザー光を出射できるため、偶然にレーザー光が放射される可能性が極めて低くなる。したがって、安価で操作が簡単な構成によって安全性が確保される。
【００１０】
また、１実施例のレーザー照射機能付機器では、第１本体における第２本体との対向面に設けられた軸に、円板状を成して側面に番号が記載された各ダイヤルの軸孔を通し、上記第２本体における上記第１本体との対向面に設けられた孔に上記軸の先端部を挿入し、軸固定手段によって固定するようにしている。したがって、円板状の各ダイヤルを交換することが可能になり、上記各ダイヤルによる暗証番号をユーザーが自由に設定することが可能になる。
【００１１】
また、１実施例のレーザー照射機能付機器では、第１本体における第２本体との対向面に設けられた軸の中間部に固定された円板が、円板状を成して側面に番号が記載された各ダイヤルの軸穴に挿入されて、上記円板の周囲の凸部が上記ダイヤルの軸穴の壁面に設けられた凹部に嵌合するようにしている。こうして、ユーザーが故意にダイヤルを回転させた場合のみ上記円板の周囲の凸部が上記ダイヤルの軸穴の壁面の凸部を乗り越えて回転可能にすることによって、各ダイヤルが偶然に暗証番号の位置になることが防止され、暗証番号設定の確実性が高められられる。
【００１２】
また、１実施例のレーザー照射機能付機器では、各ダイヤルのうちの１つを、上記レーザー通過孔を複数有し、夫々のレーザー通過孔の断面形状を互いに異なる形状にしている。したがって、円形以外の種々の断面形状のレーザー光を出射することが可能になる。したがって、本レーザー照射機能付機器をレーザーポインタとすれば、ポイント形状を変えることによってポイントされる各点を区別することが可能になる。
【００１３】
また、１実施例のレーザー照射機能付機器では、上記各ダイヤルを、内径が異なる有底の円筒状にすると共に、順次内嵌されて同一軸の周りに回転可能に本体内に収納されるようにしている。したがって、上記ダイヤルが誤って回転されることが防止され、安全性が更に高められる。
【００１４】
また、１実施例の円筒状ダイヤルのレーザー照射機能付機器では、複数のダイヤルを回転させて、各ダイヤルの端面に記載された番号の所定方向への配列が特定（暗証番号）の配列になるようにすると、総てのダイヤルの軸孔の縁に形成された切り欠きが一直線状に配列される。したがって、レーザー発光ボタンが押下された場合に、レーザー発光ボタンの軸棒の凸部が総てのダイヤルの上記切り欠きを通過でき、上記軸棒の先端によってプッシュスイッチが押圧されてレーザーモジュールの動作がオンされる。
【００１５】
こうして、上記複数のダイヤルの端面に記載された番号が暗証番号になるように配列された場合にのみ上記レーザーモジュールの動作をオンすることが可能になることによって、レーザー光の誤照射に関する安全性が更に高められる。
【００１６】
また、１実施例の円筒状ダイヤルのレーザー照射機能付機器では、上記各ダイヤルの側面への上記複数の番号の記載を、上記複数の番号が印刷されたシールを貼付することによって行うようにしている。したがって、上記シールを貼り替えるだけの簡単な操作で、上記暗証番号を自由に変更することが可能になる。
【００１７】
【発明の実施の形態】
以下、この発明を図示の実施の形態により詳細に説明する。
【００１８】
＜第１実施の形態＞
図１は、本実施の形態のレーザー照射機能付機器の一例としてのレーザーポインタの外観図である。図１において、１は本体キャビネット、２は暗証番号を決めるための番号の振られたダイヤル部、３はダイヤル部２の各番号を合せる位置を指定するための印、４はレーザー光の出射口、５はレーザー発光スイッチである。また、特に図示はしないが、本体内部にはレーザーを発光するためのレーザーモジュールや、電池や、スイッチ等が収められている。
【００１９】
上記ダイヤル部２は、本実施の形態の主要部であり、図２に示すように、側面に沿って環状に番号が振られている複数枚（図２においては３枚）の円板状のダイヤルが回転可能に並設されて構成されている。一側に位置するダイヤル２ａに対向する位置にはレーザーモジュール６が配置されており、矢印９で示すように、各ダイヤル２ａ，２ｂ，２ｃの回転軸に略平行にレーザーを出射する。各ダイヤル２ａ，２ｂ，２ｃの中心には軸孔７が設けられ、同一半径を有する円上の一箇所にはレーザー通過孔８が設けられている。また、各ダイヤル２ａ，２ｂ，２ｃの側面には０〜９の番号が続き番号で刻印されており、その番号のうちの一つは２つの孔７，８を結ぶ直線と交差する側面に配置されている。そして、各ダイヤル２ａ，２ｂ，２ｃを回転することによって、各レーザー通過孔８ａ，８ｂ，８ｃをレーザー光の光路９の位置に一致させることが可能になっている。
【００２０】
したがって、上記各円板２ａ，２ｂ，２ｃを回転するダイヤルとして使用することによって、各ダイヤル２ａ，２ｂ，２ｃのレーザー通過孔８ａ，８ｂ，８ｃの位置が一致した場合にしかレーザー光線は外部へ放射されず、レーザー通過孔８ａ，８ｂ，８ｃの位置が一致する場合における各ダイヤル２ａ，２ｂ，２ｃの番号列の１つを暗証番号とするのである。そして、その暗証番号の配列を印３（図１参照）の位置に合せた際に、各ダイヤル２ａ，２ｂ，２ｃのレーザー通過孔８ａ，８ｂ，８ｃの位置がレーザー光の光路９に一致するように構成されているのである。こうすることによって、安価で且つ操作が簡単な安全機構が設けられたレーザーポインタを提供することができるのである。
【００２１】
ところで、上記各ダイヤル２ａ，２ｂ，２ｃは取り外しができる様になっており、各ダイヤル２ａ，２ｂ，２ｃの周面に刻印された続き番号「０〜９」のうちレーザー通過孔８ａ，８ｂ，８ｃの外側に位置する番号が「０」〜「９」である１０枚のダイヤルを用意しおく。そして、ユーザーが必要に応じて暗証番号の組み合わせを変更できるようにしている。こうすることによって、ユーザーが任意に暗証番号を設定することができるのである。
【００２２】
図３に、上記各ダイヤル２ａ，２ｂ，２ｃの取り外し構造を示す。本体キャビネット１は、元側キャビネット１ａと先側キャビネット１ｂに分離可能になっている。但し、通常は、元側キャビネット１ａと先側キャビネット１ｂとは、簡単に取り外しができないように上記軸固定手段としてのビス１０で固定されている。元側キャビネット１ａにおける先側キャビネット１ｂとの対向面からは軸棒１１が突出しており、各ダイヤル２ａ，２ｂ，２ｃの軸孔７ａ，７ｂ，７ｃが差し込まれる。そして、更に軸棒１１は、先側キャビネット１ｂにおける元側キャビネット１ａとの対向面１２の中心に穿たれた孔１３に挿入される。
【００２３】
こうして、上記軸棒１１に回転可能に挿通されたダイヤル２ａ，２ｂ，２ｃを、元側キャビネット１ａと先側キャビネット１ｂとで挟み込んでビス１０で固定することによって、各ダイヤル２ａ，２ｂ，２ｃを簡単に取り外し、所望の暗証番号になるようにダイヤル２ａ，２ｂ，２ｃを組み替えることができる。したがって、本実施の形態によれば、ユーザーは、任意に暗証番号を設定することができるのである。
【００２４】
図４（ａ）は、図３とは異なる各ダイヤル２ａ，２ｂ，２ｃの構造を示す。この構造においては、各ダイヤルの中心孔の内側に凹凸を付け、軸棒には上記凹凸の凹部に嵌合する凸部を設けることによって、ダイヤル２を回転させる際に周面に刻印された続き番号０〜９の位置で段階的に停止できるようにしている。
【００２５】
図４において、１５はダイヤルであり、図４（ｂ）にその平面図を示す。ダイヤル１５には、ダイヤル２の場合と同様にレーザー光が通過するレーザー通過孔１６が形成されており、中心にはダイヤル２の場合によりも大きな直径を有する軸穴１７が設けられている。そして、軸穴１７の側面には周方向に凹凸が設けられている。
【００２６】
一方、上記元側キャビネット１ａにおける先側キャビネット１ｂとの対向面からは軸棒１８が突出しており、軸穴１７の側面に設けられた凹部に嵌合する凸部１９を外周面に有する円板２０が回転しないように軸棒１８に固定されている。そして、ダイヤル１５は、円板２０の凸部１９に軸穴１７の凹部が嵌合するように挿通される。こうすることによって、ダイヤル１５を回転させた際に、ダイヤル１５の軸穴１７の凸部が外力によって円板２０の凸部１９を乗り越えて、軸穴１７の凹部と円板２０の凸部１９とが噛み合った場合に止まることになり、ダイヤル１５を回転する際にクリックが生まれるのである。尚、ダイヤル１５の軸穴１７の側面に設けられた凹部は、周面２１に刻印された各番号に対応する位置に設けられており、ダイヤル１５が回転した際に、各番号と印３（図１参照）とが一致した際に止まる構造になっている。
【００２７】
これによって、各ダイヤル１５が容易に回転してしまうのを防ぐことができ、故意に回転させた場合以外にはダイヤル１５が回転するのを防止して、より安全性を高めることができるのである。
【００２８】
上述したように、本実施の形態においては、レーザーポインタの元側キャビネット１ａに設けられた軸棒１１に挿通されたダイヤル２ａ，２ｂ，２ｃを元側キャビネット１ａと先側キャビネット１ｂとで挟みこんでビス１０で固定して、回転可能に保持している。そして、各ダイヤル２ａ，２ｂ，２ｃには、側面に刻印された番号を印３の位置で暗証番号になるように配列すると、レーザーモジュール６からのレーザー光の光路９に一致するレーザー通過孔８ａ，８ｂ，８ｃが設けられている。
【００２９】
したがって、本実施の形態においては、各ユーザーが自分の暗証番号になるようにダイヤル部２を操作し、さらにレーザー発光スイッチ５を押下した場合にのみ、レーザー通過孔８ａ，８ｂ，８ｃを介して出射口４からレーザー光を照射することができる。こうして、ユーザーの誤操作や子供の悪戯等によってレーザー光が誤照射されることを、非常に簡単な構成で防止することができるのである。
【００３０】
さらに、上記ビス１０を緩めて本体キャビネット１を元側キャビネット１ａと先側キャビネット１ｂとに分離することによって、各ダイヤル２ａ，２ｂ，２ｃを簡単に取り外して他の暗証番号になるように各ダイヤル２ａ，２ｂ，２ｃを組み替えることができる。したがって、本実施の形態によれば、ユーザーは、任意に暗証番号を設定することができるのである。
【００３１】
＜第２実施の形態＞
本実施の形態は、レーザー光による指示点の形状を通常の丸型以外に、三角や四角やハート型等に変化をさせることができるレーザーポインタに関する。
【００３２】
図５に、本実施の形態における主要部の構造を示す。尚、本実施の形態のレーザーポインタにおける外観構造は、上記第１実施の形態の場合と同様であり、図１に示す通りである。
【００３３】
図５において、３１はダイヤル部であり、上記第１実施の形態におけるダイヤル部２と同様に、側面に沿って番号０〜９が刻印された複数枚（図５においては３枚）の円板状のダイヤル３１ａ，３１ｂ，３１ｃが回転可能に並設されて構成されている。そして、各ダイヤル３１ａ，３１ｂ，３１ｃには、各ダイヤル３１ａ，３１ｂ，３１ｃの番号が暗証番号になるように配列された場合にレーザーモジュール（図示せず）からのレーザー光を通過させるレーザー通過孔３２ａ，３２ｂ，３２ｃが設けられている。
【００３４】
本実施の形態におけるダイヤル部３１は、ダイヤル３１ｃを、図５（ａ）に示すように、三角や四角やハート型等の円形とは異なる形状のレーザー通過孔を持つダイヤル３３と交換可能にしている。図５（ｂ）は、ダイヤル３３の平面図であり、三角や四角やハート型やその他の異なる形状のレーザー通過孔が、各ダイヤル３１ａ，３１ｂの側面に刻印されている番号の数（１０個）だけ穿たれている。その場合、通常の各ダイヤル３１ａ，３１ｂ，３１ｃに１個ずつ設けられたレーザー通過孔３２ａ，３２ｂ，３２ｃの直径は、ダイヤル３３に穿たれたハート型やその他の形状のレーザー通過孔の直径よりもやや大きめに設定されている。
【００３５】
上記構成において、レーザーモジュール（図２参照）から出射されたレーザー光は、各ダイヤル３１ａ，３１ｂに設けられたレーザー通過孔３２ａ，３２ｂを通過した後にダイヤル３３のレーザー通過孔を通過する際に一部が遮られて、その断面形状がハート型やその他の形状になる。したがって、スクリーンや壁等のポイントされる面にハート型やその他の形状の点を映し出すことができる。こうして、ユーザーは、ダイヤル３３を回して好みの形状のレーザー通過孔の位置に合わせることによって、好みに応じてポイント形状を変えることができ、指示する複数のポイントをその形状によって区別をつけることができるのである。
【００３６】
以上のごとく、本実施の形態においては、上記ダイヤル部３１を構成する側面に番号０〜９が刻印された３枚のダイヤル３１ａ，３１ｂ，３１ｃのうち、レーザー光の出射口側のダイヤル３１ｃを、三角や四角やハート型等の円形とは異なる形状の１０個のレーザー通過孔が設けられたダイヤル３３と交換可能にしている。そして、ダイヤル３３に穿たれたハート型やその他の形状のレーザー通過孔の直径を、通常の各ダイヤル３１ａ，３１ｂ，３１ｃに１個ずつ設けられたレーザー通過孔３２ａ，３２ｂ，３２ｃの直径よりもやや小さく設定している。
【００３７】
したがって、各ユーザーは、上記ダイヤル３３のレーザー通過光を種々変更することによって、異なる形状のレーザポイントでスクリーン上の異なる位置を指示することができるようになる。
【００３８】
＜第３実施の形態＞
本実施の形態は、上記ダイヤル部における上記各実施の形態とは異なる構成に関する。
【００３９】
図６に、本実施の形態における主要部の構造を示す。４１は本体キャビネットであり、上記第１，第２実施の形態の場合のごとく元側キャビネットと先側キャビネットとに分離されることはない。
【００４０】
４２は本実施の形態におけるダイヤル部であり、上記本体キャビネット４１に収納された有底の円筒形状を有するダイヤル４２ｃと、ダイヤル４２ｃに内嵌された有底の円筒形状を有するダイヤル４２ｂと、ダイヤル４２ｂに内嵌された有底の円筒形状を有するダイヤル４２ａとで構成されている。各ダイヤル４２ａ，４２ｂ，４２ｃにおける円筒部上端面には、０〜９の番号が続き番号で上記上端面に沿って円形に刻印されている。そして、本体キャビネット４１には、ダイヤル部４２の暗証番号を合せる位置を指定する印４３が設けられている。
【００４１】
図７は、上記ダイヤル部４２の断面図（図７（ａ））と平面図（図７（ｂ））とを示す。図７（ａ）に示すように、各ダイヤル４２ａ，４２ｂ，４２ｃは、底に形成された軸孔４９ａ，４９ｂ，４９ｃに挿通された軸棒４４を中心にして重ねられて回転可能に嵌合されている。そして、軸棒４４は、円柱形のボタン部４５の下面に一体に構成されており、ボタン部４５の下面と最内側のダイヤル４２ａにおける底の内面との間にはコイルスプリング４６が縮裝されており、ボタン部４５および軸棒４４は所定の位置に持ち上げられている。尚、このボタン部４５は上方に抜けないような構造になっているが、特に図示はしない。ボタン部４５と軸棒４４との中心軸の下部にはプッシュスイッチ４７が配置されており、ユーザーがボタン部４５を押下すると軸棒４４の下端がプッシュスイッチ４７をオンして、レーザーモジュール（図示せず）からレーザー光線が出射されるようになっている。すなわち、ボタン部４５は、レーザー発光スイッチとして機能するのである。
【００４２】
図８は、上記各ダイヤル４２ａ，４２ｂ，４２ｃの々の平面図であり、図８（ａ）はダイヤル４２ａを示し、図８（ｂ）はダイヤル４２ｂを示し、図８（ｃ）はダイヤル４２ｃを示す。さらに、図９に、各ダイヤル４２ａ，４２ｂ，４２ｃの組み立て図を示す。図９に示すように、本体キャビネット４１に穿たれたダイヤル挿入穴４８に、先ずダイヤル４２ｃが挿入され、ダイヤル４２ｃ内にダイヤル４２ｂが挿入され、ダイヤル４２ｂ内にダイヤル４２ａが挿入される。そして、各ダイヤル４２ａ，４２ｂ，４２ｃの底面に設けられた軸孔４９ａ，４９ｂ，４９ｃに、ボタン部４５の軸棒４４が挿入され、各ダイヤル４２ａ，４２ｂ，４２ｃは回転可能に固定されるのである。
【００４３】
その際に、図１０に示すように、上記レーザーモジュール５２から出射されたレーザー光の光路は、矢印５３で示すように各ダイヤル４２ａ，４２ｂ，４２ｃを貫通するようになっている。そして、各ダイヤル４２ａ，４２ｂ，４２ｃには、各ダイヤル４２ａ，４２ｂ，４２ｃの上端面に刻印されている番号の配列が暗証番号になるように印４３（図９参照）の位置に合せた際に、レーザーモジュール５２からのレーザー光線を外部へ放射させるためのレーザー通過孔５４ａ，５４ｂ，５５ａ，５５ｂ，５６ａ，５６ｂが１直線になるように設けられている。
【００４４】
こうして、上記各ダイヤル４２ａ，４２ｂ，４２ｃを回転させて、レーザー通過孔５４ａ，５４ｂ，５５ａ，５５ｂ，５６ａ，５６ｂが一致した場合にのみレーザー光線５３が外部に放射される。こうして、第１，第２実施の形態におけるダイヤル部２，３１の場合と同様に、安価で且つ操作が簡単な安全機構を提供することができる。さらに、ダイヤル部４２が本体キャビネット４１外形よりも内側に収納されているため誤って回転することを防ぐことができ、安全性を高めたダイヤル部４２を有するレーザーポインタを提供することができるのである。
【００４５】
次に、上記ダイヤル部４２を構成する各ダイヤル４２ａ，４２ｂ，４２ｃの夫々の位置が暗証番号に一致した場合にのみレーザー発光スイッチ４５をオンできる機構について説明する。図１１はレーザー発光スイッチ４５とダイヤル部４２とレーザーモジュール５２との斜視図である。図１１（ａ）に示すようにレーザー発光スイッチ４５の軸棒４４には凸部５７を設け、図８および図１１（ｂ）に示すようにダイヤル４２ａ，４２ｂ，４２ｃの軸孔４９ａ，４９ｂ，４９ｃの縁には切り欠き５９ａ，５９ｂ，５９ｃが設けられている。そして、各ダイヤル４２ａ，４２ｂ，４２ｃの番号の配列が暗証番号と一致した場合に切り欠き５９ａ，５９ｂ，５９ｃが垂直方向に一直線に配列されて、軸棒４４の凸部５７が切り欠き５９ａ，５９ｂ，５９ｃを通過して垂直方向に移動可能になる。その結果、レーザー発光スイッチ４５がプッシュスイッチ４７（図７（ａ）参照）を押下することが可能になり、レーザーモジュール５２からレーザー光を出射することが可能になるのである。ここで、各ダイヤル４２ａ，４２ｂ，４２ｃの番号の配列が暗証番号に一致していない場合には軸棒４４の凸部５７が引っかかり、レーザー発光スイッチ４５がプッシュスイッチ４７を押下することはできないのである。
【００４６】
さらに、上記レーザー発光スイッチ４５が押下された場合のみ、各ダイヤル４２ａ，４２ｂ，４２ｃに設けられているレーザー通過孔５４ａ，５４ｂ，５５ａ，５５ｂ，５６ａ，５６ｂの配列が１直線になり、レーザーモジュール５２から出射されたレーザー光が外部に放射されるのである。こうして、ユーザーが各ダイヤル４２ａ，４２ｂ，４２ｃの番号を暗証番号に合わせた場合以外にはプッシュスイッチ４７はオンとならず、安全性をさらに高め且つ電源の消費を抑えることが可能になるのである。
【００４７】
尚、以上においては、上記各ダイヤル４２ａ，４２ｂ，４２ｃに付与する番号は、各ダイヤル４２ａ，４２ｂ，４２ｃの上端面に刻印されているとして説明している。しかしながら、番号が書き込まれたリング状の番号シールを各ダイヤル４２ａ，４２ｂ，４２ｃの上端面に貼るようにしても差し支えない。その場合は、ユーザーは暗証番号の組み合わせを任意に変えることが可能になる。図１２は上記番号シールの平面図である。尚、図１２（ａ）はダイヤル４２ａ用の番号シール６１であり、図１２（ｂ）はダイヤル４２ｂ用の番号シール６２であり、図１２（ｃ）はダイヤル４２ｃ用の番号シール６３である。各番号シール６１〜６３の表面には「０〜９」の番号が印刷されており、裏面には粘着剤が塗布されている。こうすることによって、ユーザーは自由に暗証番号の組み合わせを変更することができるのである。
【００４８】
上述したように、本実施の形態においては、各ダイヤル４２ａ，４２ｂ，４２ｃを内径が異なる有底の円筒状に成すと共に、上端面に沿って番号を刻印している。そして、各ダイヤル４２ｃ，４２ｂ，４２ａは、順次内嵌されてボタン部４５の軸棒４４の周りに回転可能に本体キャビネット４１内に収納されて、誤って回転されないようになっている。
【００４９】
尚、上記各実施の形態においては、レーザーポインタを例に挙げて説明しているが、この発明はこれに限定されるものではない。要は、レーザー照射機能を有する総ての機器に対して適用可能なのである。
【００５０】
【発明の効果】
以上より明らかなように、この発明のレーザー照射機能付機器は、複数のダイヤルを回転させて、各ダイヤルの側面や端面に記載された番号の所定方向への配列を暗証番号の配列になるようにすると、総てのダイヤルのレーザ通過孔が一直線状に配列されてレーザーモジュールからのレーザー光を通過させるので、特定のユーザーのみがレーザー光を外部に出射させることができる。したがって、偶然にレーザー光が放射される可能性を極めて低くでき、安価で操作が簡単な構成で安全性を確保することができる。
【図面の簡単な説明】
【図１】この発明のレーザー照射機能付機器の一例としてのレーザーポインタにおける外観図である。
【図２】図１におけるダイヤル部の構成とレーザーモジュールとの関係を示す図である。
【図３】図１における各ダイヤルの取り外し構造を示す図である。
【図４】図２とは異なるダイヤル部の構成を示す図である。
【図５】図２および図４とは異なるダイヤル部の構成を示す図である。
【図６】図２，図４および図５とは異なるダイヤル部の外観図である。
【図７】図６に示すダイヤル部の断面図および平面図である。
【図８】図７における各ダイヤルの平面図である。
【図９】図７における各ダイヤルの組み立て図である。
【図１０】図６に示すダイヤル部とレーザー光の光路との関係を示す図である。
【図１１】レーザー発光スイッチとダイヤル部とレーザーモジュールとの斜視図である。
【図１２】番号シールの平面図である。
【符号の説明】
１，４１…本体キャビネット、
１ａ…元側キャビネット、
１ｂ…先側キャビネット、
２，３１，４２…ダイヤル部、
２ａ，２ｂ，２ｃ，１５，３１ａ，３１ｂ，３１ｃ，３３，４２ａ，４２ｂ，４２ｃ…ダイヤル、
３，４３…印、
４…レーザー光の出射口、
５…レーザー発光スイッチ、
６，５２…レーザーモジュール、
７，４９…軸孔、
８，１６，３２，５４，５５，５６…レーザー通過孔、
９，５３…レーザー光の光路、
１１，１８，４４…軸棒、
１９，５７…凸部、
２０…円板、
４５…ボタン部（レーザー発光スイッチ）、
４６…コイルスプリング、
４７…プッシュスイッチ、
４８…ダイヤル挿入穴、
５９…切り欠き、
６１，６２，６３…番号シール。
【図１】
2004070246.tif 000003
【図２】
2004070246.tif 000004
【図３】
2004070246.tif 000005
【図４】
2004070246.tif 000006
【図５】
2004070246.tif 000007
【図６】
2004070246.tif 000008
【図７】
2004070246.tif 000009
【図８】
2004070246.tif 000010
【図９】
2004070246.tif 000011
【図１０】
2004070246.tif 000012
【図１１】
2004070246.tif 000013
【図１２】
2004070246.tif 000014